(57)【特許請求の範囲】
【請求項１】
框体との間に配設される調整金具により前記框体との隙間が調整される枠体において、当該調整のための調整ネジが螺合する雌ネジ穴を備えた前記調整金具の枠ブロックが配設される段付き孔を、当該段付き孔のうち孔径が大きい方を前記枠ブロックの取付孔として前記框体側に設ける一方、前記孔径が小さい方を前記調整ネジの操作孔として前記框体側と反対側に設け、前記取付孔深さを、前記枠ブロックの、前記取付孔への取付部の厚み及び前記框体に当接する態様で用いられる前記調整金具の固定プレートの厚みを加えた長さより小さくならないように形成することを特徴とする枠体。
【請求項２】
薄円板状の円板外周で、前記枠体への取付部となるところに設けられた前記枠ブロックの鋸歯状の突条を、前記取付孔に食い込ませて圧入してなることを特徴とする請求項１に記載の枠体。
【請求項３】
前記枠体への取付部となるところに雌ネジ穴が螺刻された前記枠ブロックを、この雌ネジ穴に前記框体とは反対側から前記枠体に埋め込まれる態様で挿入される皿ネジを螺合させて固着してなることを特徴とする請求項１に記載の枠体。
【請求項４】
前記取付孔と操作孔との段差面に鬼目ナットが埋め込まれた枠体であって、当該枠体への取付部となるところに皿形溝が形成された枠ブロックを、前記鬼目ナットに皿ネジを当該皿ネジの頭部が前記皿形溝に埋め込まれる態様で前記框体側から挿入し螺合させて固着してなることを特徴とする請求項１に記載の枠体。
【請求項５】
前記調整金具は、その取付部が前記枠体の取付孔に固着される、前記雌ネジ穴が設けられた前記枠ブロックと、前記雌ネジ穴に螺合する雄ネジ部が設けられた前記調整ネジと、該調整ネジの一方端に係止された前記固定プレートとを備えていることを特徴とする請求項１〜４のいずれかに記載の枠体。
【請求項６】
前記調整金具は、前記枠ブロックの雌ネジ穴に平行に穿設された挿通孔に緩嵌されるとともに、その一方端が前記固定プレートに当接する態様で、又は前記固定プレートに係止する態様で配設される中空案内部材を備えていることを特徴とする請求項５に記載の枠体。
【請求項７】
前記框体に、前記中空案内部材及び固定プレートを挿通して当該框体に係止される固定手段により取り付けられることを特徴とする請求項６に記載の枠体。
【発明の詳細な説明】
【０００１】
【発明が属する技術分野】
本発明は、家屋等の建築工事に際し、戸や窓などを取り付けるための枠体に関する。
【０００２】
【従来の技術】
家屋等の建築工事に際し、戸や窓などを設ける場合には、これら戸や窓などを取り付けるための枠体を、戸や窓などが設けられる框体に精度よく建て付ける必要がある。このため、框体に対する枠体の調整を行うことができるように、枠体には適宜な加工が施され、当該加工が施された部位に上記調整を行うための調整金具が配設される構造のものが種々提案されている。
【０００３】
このうちの一例で、例えば特開平１１−７１９６６号には、図８，９に示すように、躯体（框体）１００に対する枠体１０１の隙間調整を躯体接合金具（調整金具）１０２で行うものが開示されており、躯体接合金具１０２は、躯体１００にタッピンねじ１０３で固定された躯体側金具１０４と、この躯体側金具１０４に対し回動自在に、且つ、当該躯体側金具１０４から脱落しないように取り付けられた主螺子棒１０５と、この主螺子棒１０５に螺合する主螺子孔１０６ａが設けられた枠体側金具１０６とで構成されている。かかる躯体接合金具１０２のうち躯体側金具１０４は、枠体１０１側に突設する態様で、上述のように躯体１００に固定される。一方、躯体接合金具１０２の枠体側金具１０６は、枠体１０１に加工された取り付け穴１０１ａに嵌入され、そのフランジ部１０６ｂが、躯体１００側に突設する態様で上記取り付け穴１０１ａの穴周縁に係止されている。このような躯体接合金具１０２においては、主螺子棒１０５を回動して枠体側金具１０６を進退させることにより、躯体１００に対する枠体１０１の隙間調整を行うことができる。尚、この躯体接合金具１０２には、枠体側金具１０６の脇螺子孔１０６ｃ，１０６ｄにそれぞれ螺合する脇螺子棒１０７，１０８が配設されるようになっており、躯体１００に対する枠体１０１のブレを修正することができるようになっている（図９（Ｂ）中の矢印で示す）。
【０００４】
【発明が解決しようとする課題】
しかしながら、上記例の構造のものは、上述のように、躯体側金具１０４が枠体１０１側に突設して躯体１００に固定されていることに加え、枠体側金具１０６のフランジ部１０６ｂが、躯体１００側に突設して枠体１０１に係止されている構造のために、躯体１００と枠体１０１との隙間を、例えば零に調整する必要がある場合に、かかる調整ができないため当該調整に際して制約が課せられてしまうという不具合がある。
また、通常、枠体１０１同士を重ねて輸送しているが、上述のように枠体側金具１０６のフランジ部１０６ｂが枠体１０１から突設していると、枠体１０１がフランジ部１０６ｂで損傷を受ける場合があり、輸送の際の取り扱いが難しいという不具合がある。
【０００５】
本発明の目的は、框体との隙間調整に制約がなく、輸送の際の取り扱いに優れた枠体を提供することにある。
【０００６】
【課題を解決するための手段】
上記課題を解決するために、本発明の請求項１に係る枠体は、框体との間に配設される調整金具により框体との隙間が調整される枠体において、当該調整のための調整ネジが螺合する雌ネジ穴を備えた前記調整金具の枠ブロックが配設される段付き孔を、当該段付き孔のうち孔径が大きい方を前記枠ブロックの取付孔として框体側に設ける一方、前記孔径が小さい方を前記調整ネジの操作孔として前記框体側と反対側に設け、前記取付孔深さを、枠ブロックの、上記取付孔への取付部の厚み及び框体に当接する態様で用いられる調整金具の固定プレートの厚みを加えた長さより小さくならないように形成するようにしたものである。これにより、上記隙間を、例えば零に調整する場合が生じても、枠ブロックの取付部及び固定プレートが枠体の取付孔に埋設される態様となるので、このような調整ができないために所望の調整が制約されてしまうということはなく、また、輸送の際にも、枠ブロックや固定プレートが枠体の取付孔に埋設される態様となって当該枠体を重ね合わせても損傷が生じないので、取り扱いに優れている。
また、本発明の請求項２に係る枠体は、薄円板状の円板外周で、前記枠体への取付部となるところに設けられた前記枠ブロックの鋸歯状の突条を、前記取付孔に食い込ませて圧入してなるものである。
また、本発明の請求項３に係る枠体は、前記枠体への取付部となるところに雌ネジ穴が螺刻された前記枠ブロックを、この雌ネジ穴に前記框体とは反対側から前記枠体に埋め込まれる態様で挿入される皿ネジを螺合させて固着してなるものである。
また、本発明の請求項４に係る枠体は、前記取付孔と操作孔との段差面に鬼目ナットが埋め込まれた枠体であって、当該枠体への取付部となるところに皿形溝が形成された枠ブロックを、前記鬼目ナットに皿ネジを当該皿ネジの頭部が前記皿形溝に埋め込まれる態様で前記框体側から挿入し螺合させて固着してなるものである。
【０００７】
本発明の請求項５に係る枠体において、上記調整金具は、その取付部が枠体の取付孔に固着される、雌ネジ穴が設けられた枠ブロックと、雌ネジ穴に螺合する雄ネジ部が設けられた調整ネジと、調整ネジの一方端に、例えばカシメて係止された固定プレートとを備えるもので、少ない部品により調整金具を構成でき、製造コストを安価にできる。
ところで、枠ブロックの取付部を枠体の取付孔に固着する方法は、枠体の仕様などによって種々選択することができるが、例えば圧入やビス止めなど適宜な方法を選択できる。
【０００８】
本発明の請求項６に係る枠体では、上記調整金具は、更に、枠ブロックの雌ネジ穴に平行に穿設された挿通孔に緩嵌されるとともに、その一方端が固定プレートに当接する態様で、又は固定プレートに係止する態様で配設される中空案内部材を加えたものであり、かかる中空案内部材がガイドの働きをするので、隙間調整時での枠体のぶれを防止できる。
【０００９】
本発明の請求項７に係る枠体は、中空案内部材及び固定プレートを挿通して框体に係止される、例えばタッピングネジなどの固定手段より当該框体に取り付けられるようにしたもので、かかる取り付けを、上記隙間調整後に行ってもよいが、隙間を拡大し過ぎたようなとき当該隙間を縮小するような調整が見込まれる場合には、当該調整に先立ち行う必要がある。
【００１０】
【発明の実施の形態】
本発明の第１の実施の形態に係る枠体及び調整金具を図１〜４を参照して説明する。尚、説明の都合上、最初に調整金具を説明する。
まず、調整金具１は、図１に示すように、戸や窓などを取り付ける枠体２と、この枠体が配設される框体３との間の、本実施の形態では７箇所に設けられ、框体３に対する枠体２の隙間調整を行うことにより、戸や窓などが精度よく建て付けられるようにするためのものである。
本調整金具１は、具体的には図２（Ａ）に示すように、その軸心に対し偏心して雌ネジ穴４ａが、更に、このネジ穴４ａに平行に挿通孔４ｂが設けられた薄円板状をなし、その円板外周で、枠体２への取付部４ｃとなるところに鋸歯状の突条４ｃ１が設けられたブッシュ（枠ブロック）４と、このブッシュ４の挿通孔４ｂに緩嵌される、本実施の形態では楕円状の中空筒体をなすカラー（中空案内部材）５とを備えており、このカラー５の筒体長はこの挿通孔４ｂの孔長（ブッシュ４の板厚）より所定長だけ長く、したがって、挿通孔４ｂにカラー５を緩嵌させたときには、カラー５が挿通孔４ｂから突出した態様をなす（図３参照）。尚、このカラー５の中空部５ａも、楕円状をなしている。
【００１１】
更に、本調整金具１は、図２（Ｂ）に示すように、十字溝が刻設された一方端から他方端近くの鍔６ａまでに螺刻された、上記ブッシュ４のネジ穴４ａに螺合する雄ネジ部６ｂ、及び上記鍔６ａから他方端に至るところに筒状の短軸６ｃが形成された調整ネジ６と、枠体２の、框体３側に設けられた、後述する段付き孔のうち孔径が大きい方の取付孔２ａ（図４参照）の内径より僅かに小さい外径で、上記ブッシュ４の厚さより薄い円板状のプレート（固定プレート）７とを備えており、このプレート７には、ブッシュ４の挿通孔４ｂ及びネジ穴４ａのそれぞれに対応するところに、カラー５の中空部５ａと同じ大きさの楕円状中空部７ａ、及び調整ネジ６の短軸６ｃの軸径より僅かに大きな孔径の挿通孔７ｂが穿設されている。そして、このうちの挿通孔７ｂに調整ネジ６の短軸６ｃを、挿通孔７ｂの孔縁に当該調整ネジ６の鍔６ａが当接するところまで挿入して、かかる短軸６ｃの先端をカシメることにより、プレート７を調整ネジ６に係止させている（図３参照）。
【００１２】
本調整金具１は、枠体２への組み込み前に、調整ネジ６のネジ部６bをブッシュ４のネジ穴４ａに螺合させて、プレート７とブッシュ４とが当接する状態に置かれる（但し、当接時に調整ネジ６の鍔６ａがブッシュ４と干渉しないように、ブッシュ４にはその逃げが設けられている（図４（Ａ）参照））。このとき、プレート７の中空部７ａの楕円形状とカラー５の中空部５ａの楕円形状とが位相的に一致するように、即ち、両楕円の長軸及び短軸がそれぞれ重なり合うように、プレート７とブッシュ４とを当接する状態に置くとともに、カラー５の、挿通孔４ｂに緩嵌された側の一方端とプレート７とを当接する状態に置く。
【００１３】
一方、このような調整金具１が組み込まれる枠体２には、図１に示す個所に図４に示すような段付き孔が設けられており、かかる段付き孔を、孔径が大きい方を取付孔２ａとして框体３側に設け、その取付孔２ａの深さを、当該取付孔２ａに取り付けられる枠ブロック４の取付部４ｃの厚み及びプレート７の厚みを加えた長さより小さくないように形成する。このように形成された段付き孔の取付孔２ａに調整金具１のブッシュ４を、当該ブッシュ４にプレート７を当接させた状態で圧入して固着させると、枠ブロック４及びプレート７が取付孔２ａに埋設された態様となる。このとき、枠ブロック４側に突出した状態となるカラー５や調整ネジ６は、段付き孔の孔径の小さい方の操作孔２ｂ内に収容される態様となり、調整金具１全体が枠体２に収納された状態になる（図４（Ａ）参照）。このような状態になるために輸送の際の取り扱いに優れ、枠体２同士を重ね合わせも損傷を受けることはない。
尚、圧入に際しては、ブッシュ４の突条４ｃ１を取付孔２ａに食い込ませて圧入状態を強固にしている。また、上記中空部７ａ及び中空部５ａの両楕円の長軸が図４（Ａ）や（Ｂ）において紙面に垂直な方向を向くように（その短軸が図４（Ａ）や（Ｂ）において上下方向を向くように）注意して圧入する。
【００１４】
次に、本調整金具１が組み込まれた枠体２の場合の上記隙間調整のしかたを図４を参照して説明する。
上述のようにして調整金具１が組み込まれた枠体２を、框体３に対し図４（Ａ）のような状態で配設する。この状態では、枠体２と框体３との間の隙間Ａは零である。同図のように、上記隙間Ａが零で隙間調整が完了する場合があり、調整完了後は、同図のように、カラー５の中空部５ａ及びプレート７の中空部７ａを挿通して框体３に螺着（係止）されるタッピングネジ（固定手段）８によって、カラー５及びプレート７を框体３に固定して枠体２を框体３に固定する。そして、操作孔２ｂの、框体３側とは反対側に位置する孔縁にキャップ９を取り付けて終了する。
【００１５】
しかるに、図４（Ａ）の状態では戸や窓などが精度よく建て付けられないため、かかる状態から上記隙間Ａを調整するときには、隙間調整に先立ち框体３にカラー５及びプレート７をタッピングネジ８で仮固定してから、ドライバなどの工具を調整ネジ６の十字溝に差し込んで、隙間Ａが拡大する方向に回すと、図４（Ｂ）のように、ブッシュ４、即ち、枠体２は、カラー５に沿って移動して框体３との隔たりが拡大するようになるため、この隔たり具合を目視などで按分することにより框体３に対する枠体２の隙間調整を行える。また、上記隔たりが拡大し過ぎたようなときには、調整ネジ６を上記隙間Ａが縮小する方向に回せば上記隔たりが縮小するようになって調整し直すことができる。そして、調整完了後は、框体３にカラー５及びプレート７をタッピングネジ８で本固定して枠体２を框体３に固定し、操作孔２ｂの孔縁にキャップ９を取り付けて終了する。
このように、調整金具１が組み込まれた枠体２と框体３との隙間調整では、隙間Ａを零に調整することも可能であり、零に調整ができないために所望の調整が制約されてしまうということはない。
【００１６】
また、本調整金具１では、カラー５の中空部５ａ及びプレート７の中空部７ａが楕円形状に形成されているために、図４（Ａ）や（Ｂ）において紙面に垂直な方向に、本調整金具１とともに枠体２をいくらか移動させることができ、このために当該方向に対する調整も可能になっている。
尚、この方向に対する調整を必要としない場合には、上述のような仮固定する必要はなく最初から本固定して隙間調整を行うようにしてもよい。
【００１７】
次に、本発明の第２の実施の形態に係る枠体及び調整金具を図５，６を参照して説明する。尚、図５，６において、図１〜４中の構成部材と同一の部材には同一番号を付し、その説明は割愛する。
本実施の形態に係る枠体１２及び調整金具１１が上述した第１の実施の形態に係る枠体２及び調整金具１と異なるところは、まず、枠体１２の取付孔２ａに緩嵌されたブッシュ（枠ブロック）１３の、枠体１２への取付部１３ａとなるところに雌ネジ穴１３ａ１を螺刻し、当該ネジ穴１３ａ１に、框体３とは反対側から枠体１２に埋め込まれる態様で挿入される皿ネジ１４を螺合させて、ブッシュ１３を枠体１２に固着させている点であり、次に、上記カラー５の、プレート７側の端部に径小の短軸１５ａを突設させたものをカラー（中空案内部材）１５とする一方、上記プレート７の中空部７ａを径大の挿通孔１６ａにしたものをプレート（固定プレート）１６とし、カラー１５の短軸１５ａをプレート１６の挿通孔１６ａ挿入して当該短軸１５ａの先端をカシメることにより、プレート１６をカラー１５に係止させている点である。尚、カラー１５に設けられる中空部５ａが楕円状をなしていることはカラー５と同様である。また、上記皿ネジ１４との干渉防止のためにプレート１６の外径をブッシュ１３のそれより小さくしている。
【００１８】
このような調整金具１１が組み込まれた枠体１２を框体３に配設し、枠体１２と框体３との間の隙間調整を行う場合にも、上述同様のしかたで行えることはもとより、隙間調整が制約されないこと、及び輸送の際の取り扱いに優れていることは上述同様である。
また、本調整金具１１においても、カラー１５の中空部５ａが楕円形状に形成されているために、図６において紙面に垂直な方向に、本調整金具１１とともに枠体１２をいくらか移動させることができ、このために当該方向に対する調整も可能になっている。
ところで、調整金具１１が組み込まれた枠体１２においては、上述の調整金具１が組み込まれた枠体２に比し、調整金具１１の取り外しが容易であること、及び枠体１２を薄くできることであり、更に、隙間Ａが拡大する方向に調整するときには、調整金具１が組み込まれた枠体２では、先に調整ネジ６で隙間Ａを調整するとプレート７が回転しまうため、調整前にプレート７を框体３に固定する必要があるが、調整金具１１が組み込まれた枠体１２では、プレート１６を框体３に固定しなくても上記調整を行える利点がある。
【００１９】
次に、本発明の第３の実施の形態に係る枠体及び調整金具を図７を参照して説明する。尚、図７において、図５，６中の構成部材と同一の部材には同一番号を付し、その説明は割愛する。
本実施の形態に係る枠体２２及び調整金具２１が、上述した第２の実施の形態に係る枠体１２及び調整金具１１と異なるところは、枠体２２の、取付孔２ａと操作孔２ｂとの段差面に鬼目ナット２３を埋め込む一方、ブッシュ（枠ブロック）２４の、枠体２２への取付部２４ａとなるところに皿形溝を形成して、上記鬼目ナット２３に、皿ネジ２５を、その頭部がブッシュ２４の皿形溝に埋め込まれる態様で框体３側から挿入して螺合させブッシュ２４を枠体２２に固着させている点であり、更に、このような固着のさせ方によってブッシュ２４が薄くなるために、調整ネジ６との螺合長が短くならないようにブッシュ２４に枠体２２の操作孔２２ｂ内に延出する態様で突状２４ｂを設けて、そのネジ穴４ａ及び挿通孔４ｂが所要の長さになるようにしている点である。
【００２０】
このような調整金具２１が組み込まれた枠体２２を框体３に配設し、枠体２２と框体３との間の隙間調整を行う場合にも、上述同様のしかたで行えることはもとより、隙間調整が制約されないこと、及び輸送の際の取り扱いに優れていることは上述同様である。
また、本調整金具２１おいても、カラー１５の中空部５ａが楕円形状に形成されているために、図７において紙面に垂直な方向に、本調整金具２１とともに枠体２２をいくらか移動させることができ、このために当該方向に対する調整も可能になっている。
ところで、調整金具２１が組み込まれた枠体２２においても、調整金具２１の取り外しが容易であること、及び枠体２２を薄くできる利点があり、更に、枠体２２表面から露出する部分が少なくでき、枠体２２の見栄えが向上する利点がある。
【００２１】
【発明の効果】
本発明の枠体によれば、枠ブロックの取付部及び固定プレートが枠体の取付孔に埋設される態様を採っているので、框体との隙間調整に制約がなく、例えば隙間を零に調整することができ、また、輸送の際に、枠ブロックや固定プレートが枠体の取付孔に埋設される態様となって当該枠体を重ね合わせても損傷が生じないので、取り扱いに優れている。
【図面の簡単な説明】
【図１】  第１の実施の形態に係る枠体及び調整金具の、框体に対する取付構造図である。
【図２】  図１の調整金具の分解斜視図である。
【図３】  図１の調整金具の部分組立斜視図である。
【図４】  図１の調整金具が組み込まれた枠体の、框体に対する隙間調整の説明図である。
【図５】  第２の実施の形態に係る枠体及び調整金具の分解斜視図である。
【図６】  第２の実施の形態に係る調整金具が組み込まれた枠体の、框体に対する隙間調整の説明図である。
【図７】  第３の実施の形態に係る調整金具が組み込まれた枠体の、框体に対する隙間調整の説明図である。
【図８】  従来の調整金具の分解斜視図である。
【図９】  図８の調整金具が組み込まれた枠体の、框体に対する隙間調整の説明図である。
【符号の説明】
１，１１，２１  調整金具
２，１２，２２  枠体
２ａ            取付孔（段付き孔）
２ｂ            操作孔（段付き孔）
３              框体
４              ブッシュ（枠ブロック）
４ａ            雌ネジ穴
４ｂ            挿通孔
４ｃ            取付部
５，１５        カラー（中空案内部材）
５ａ            中空部
６              調整ネジ
６ｂ            雄ネジ部
７，１６        プレート（固定プレート）
７ａ            中空部
８              タッピングネジ（固定部材）
１３，２４      ブッシュ（枠ブロック）
１３ａ，２４ａ  取付部
【図１】
0003718475.tif 000002
【図２】
0003718475.tif 000003
【図３】
0003718475.tif 000004
【図４】
0003718475.tif 000005
【図５】
0003718475.tif 000006
【図６】
0003718475.tif 000007
【図７】
0003718475.tif 000008
【図８】
0003718475.tif 000009
【図９】
0003718475.tif 000010